(57)【要約】【課題】清掃がし易い扇風機を提供する。【解決手段】扇風機１は、ファン５の一部又は全部を露出可能に形成されるグリル６と、グリル６がファン５の一部又は全部を露出した状態か否かを検出するグリル開閉検出部７と、ファン５を駆動するモータ部４のモータを制御するモータ駆動部１２と、グリル６がファン５の一部又は全部を露出していない状態であることをグリル開閉検出部７が検出した場合にモータ部４のモータを駆動可能にモータ駆動部１２を制御し、グリル６がファン５の一部又は全部を露出した状態であることをグリル開閉検出部７が検出した場合にモータ部４のモータを停止するようモータ駆動部１２を制御する制御部１０と、を有する。【選択図】  図１
2020200805.tif 000002
【特許請求の範囲】
【請求項１】
ファンの一部又は全部を露出可能に形成されるグリルと、
前記グリルが前記ファンの一部又は全部を露出した状態か否かを検出するグリル開閉検出部と、
前記ファンを駆動するモータを制御するモータ駆動部と、
前記グリルが前記ファンの一部又は全部を露出していない状態であることを前記グリル開閉検出部が検出した場合に前記モータを駆動可能に前記モータ駆動部を制御し、前記グリルが前記ファンの一部又は全部を露出した状態であることを前記グリル開閉検出部が検出した場合に前記モータを停止するよう前記モータ駆動部を制御する制御部と、
を有することを特徴とする扇風機。
【請求項２】
前記グリルは、前グリルと、後グリルと、が組み合わされて形成されることを特徴とする請求項１に記載の扇風機。
【請求項３】
前記グリル開閉検出部は、前記前グリルと前記後グリルが組み合わされた状態では前記グリルが前記ファンの一部又は全部を露出していない状態であると検出し、前記前グリルが前記後グリルから取り外された状態では前記グリルが前記ファンの一部又は全部を露出した状態であると検出することを特徴とする請求項２に記載の扇風機。
【請求項４】
前記グリル開閉検出部は、スイッチ又はセンサにより形成されることを特徴とする請求項１乃至請求項３の何れか記載の扇風機。
【発明の詳細な説明】
【技術分野】
【０００１】
本発明は、扇風機に関する。
【背景技術】
【０００２】
従来から、回転するファンを利用者が触れないようにするため、ファンの周囲を覆うグリル（ガードともいう）を備えた扇風機が提供されている。例えば、特許文献１に開示される扇風機は、前グリルと後グリルで分割されるグリルを備える。前グリルは、中心から放射状に形成されるフィンを備えて略円盤状に形成される。後グリルは、中心から放射状に形成されるフィンを備えて略碗状に形成される。前グリルは、両面何れも前側となるように後グリルに取り付けることができる。前グリルにおいて前側となる面を選択することにより、噴出される気流を変化させることができる。
【先行技術文献】
【特許文献】
【０００３】
【特許文献１】特開２０１５−４２８６８号公報
【発明の概要】
【発明が解決しようとする課題】
【０００４】
特許文献１に開示される扇風機は、後方から空気を吸い込んで前方に噴出するよう形成される。そして、使用状況によっては、前後のグリルやファンに埃等の汚れが付着することがある。前後のグリルやファンに付着した汚れの除去は、前グリルを後グリルから取り外して清掃すると掃除がし易いが、清掃時に誤ってファンを回転させないように電源コードをコンセントから引き抜いておく等の措置が必要である。このように、清掃前に電源コードをコンセントから引き抜く措置は、利用者によっては煩雑であると感じることがある。
【０００５】
本発明は、以上の点に鑑み、清掃がし易い扇風機を提供することを目的とする。
【課題を解決するための手段】
【０００６】
本発明の扇風機は、ファンの一部又は全部を露出可能に形成されるグリルと、前記グリルが前記ファンの一部又は全部を露出した状態か否かを検出するグリル開閉検出部と、前記ファンを駆動するモータを制御するモータ駆動部と、前記グリルが前記ファンの一部又は全部を露出していない状態であることを前記グリル開閉検出部が検出した場合に前記モータを駆動可能に前記モータ駆動部を制御し、前記グリルが前記ファンの一部又は全部を露出した状態であることを前記グリル開閉検出部が検出した場合に前記モータを停止するよう前記モータ駆動部を制御する制御部と、を有することを特徴とする。
【発明の効果】
【０００７】
本発明によれば、清掃がし易い扇風機を提供することができる。
【図面の簡単な説明】
【０００８】
【図１】本発明の実施形態に係る扇風機についてグリルを断面として模式的に表した側面図であり、（ａ）は前グリルと後グリルが組み合わされた状態を示し、（ｂ）は前グリルが後グリルから取り外された状態を示す図である。
【図２】本発明の実施形態に係る扇風機の制御ブロックを示す図である。
【発明を実施するための形態】
【０００９】
次に、図に基づいて、本発明の実施形態を説明する。図１に示す扇風機１は、ベース部２を備える。ベース部２は、略円盤状に形成されて、下面が接地面に接地される。ベース部２の上面には、風量切替ボタンやタイマー等を備える操作パネル２ａが設けられる。ベース部２からは、家庭用コンセントに接続して通電される電源コード２ｂが設けられる。ベース部２内部には、電源２ｃや制御回路基板２ｄが設けられる。
【００１０】
ベース部２からは、上方に向けて支柱３が立設する。支柱３の上端には、モータ部４が設けられる。モータ部４は、内部にファン５を回転駆動するためのモータがケースに内装して収められ、公知の首振り機構（図示せず）等を介して、支柱３に対して回動自在に設けられる。
【００１１】
モータ部４のモータの駆動軸４ａには、ファン５が設けられる。ファン５は、軸流ファンである。ファン５の周りには、グリル６が形成される。グリル６は、前グリル６ａと後グリル６ｂからなる。後グリル６ｂはモータ部４に固定される。前グリル６ａは、後グリル６ｂと着脱自在に設けられる。前グリル６ａと後グリル６ｂは、図示しない公知の係合ノッチ等の構造を備えて、前グリル６ａは後グリル６ｂに対して着脱自在に形成される。
【００１２】
グリル６には、グリル開閉検出部７が設けられる。本実施形態においては、グリル開閉検出部７は、板状の被検出体７ａと、マグネットセンサ本体７ｂと、からなるマグネットセンサにより形成される。なお、グリル開閉検出部７は、マグネットセンサの他、各種のセンサやスイッチを用いることができる。
【００１３】
図１（ａ）に示すように、前グリル６ａと後グリル６ｂが組み合わされた状態では、被検出体７ａがマグネットセンサ本体７ｂと接触又は近接しているため、グリル開閉検出部７は、グリル６がファン５の一部又は全部を露出していない状態（換言すれば、ファン５に人がアクセスできない状態）であると検出する。また、図１（ｂ）に示すように、前グリル６ａが後グリル６ｂから取り外された状態では、被検出体７ａがマグネットセンサ本体７ｂから離間しているため、グリル開閉検出部７は、グリル６がファン５の一部又は全部を露出した状態（換言すれば、ファン５に人がアクセスできる状態）であると検出する。
【００１４】
図２は扇風機１の制御ブロック図である。扇風機１は、制御部１０、記憶部１１、モータ駆動部１２を備える。制御部１０は、コンピュータ（ＣＰＵ）により形成される。記憶部１１は、制御部１０と接続する。記憶部１１は、例えば、ＳＳＤ（Ｓｏｌｉｄ  Ｓｔａｔｅ  Ｄｒｉｖｅ）やＳＲＡＭ（Ｓｔａｔｉｃ  Ｒａｎｄａｍ  Ａｃｃｅｓｓ  Ｍｅｍｏｒｙ）で構成され、制御部１０を動作させる制御プログラムや各種設定値等が記憶される。
【００１５】
制御部１０と接続されるモータ駆動部１２はモータ部４のモータと接続してモータを駆動制御する。また、グリル開閉検出部７は、制御部１０と接続される。
【００１６】
制御部１０は、グリル開閉検出部７によりグリル６がファン５の一部又は全部を露出した状態であると検出した場合、モータ部４のモータを停止するようモータ駆動部１２を制御する。すなわち、前グリル６ａが後グリル６ｂから取り外されている場合には、モータ部４のモータは停止される。よって、前グリル６ａが後グリル６ｂから取り外されている場合には、ファン５は回転することがない。
【００１７】
ファン５の回転は、グリル開閉検出部７によりグリル６がファン５の一部又は全部を露出していない状態であると検出されている場合に回転可能とされるよう、制御部１０によりモータ駆動部１２が制御される。
【００１８】
このようにして、例えば、ファン５やグリル６に付着した埃等を掃除するために前グリル６ａを取り外した場合において、電源コード２ｂを引き抜く等の作業をしなくても、誤って掃除中にファン５を回転させてしまうことが無い。
【００１９】
以上、本発明の実施形態を説明したが、本発明は本実施形態によって限定されることは無く、種々の変更を加えて実施することができる。例えば、本実施形態においては、グリル６を前グリル６ａと後グリル６ｂとが分割できるように形成したが、グリル６に扉を設けてファン５の一部又は全部を露出することにより、利用者がファン５にアクセスできるようにしてもよい。この場合にも、グリル開閉検出部７は、該扉の開閉を検出できるように配置すればよい。
【００２０】
また、本実施形態の扇風機１は、１個のファン５を備えるが、２個のファンを同じ軸線上に備える２重反転式の扇風機としてもよい。
【００２１】
また、本実施形態においては、扇風機１は家庭用コンセント（ＡＣ）から給電されるものとしたが、これに限られず、ＵＳＢ（ＤＣ）給電や、充電式、非接触給電等他の給電方式でも実施することができる。
【符号の説明】
【００２２】
１    扇風機                    ２    ベース部
２ａ  操作パネル                ２ｂ  電源コード
２ｃ  電源                      ２ｄ  制御回路基板
３    支柱                      ４    モータ部
４ａ  駆動軸
５    ファン                    ６    グリル
６ａ  前グリル                  ６ｂ  後グリル
７    グリル開閉検出部          ７ａ  被検出体
７ｂ  マグネットセンサ本体      １０  制御部
１１  記憶部                    １２  モータ駆動部
【図１】
2020200805.tif 000003
【図２】
2020200805.tif 000004